(57)【要約】【課題】本発明は、（１）消費者が飲料製品を持ち運びしている最中に、保持具から飲料製品を脱落させないこと、（２）保持具から飲料製品を簡易に取り外せること、（３）組み立て不要、かつ、簡易構造を有していて、かつ、使用材料が少量であること、を満たした缶保持具を提供する。【解決手段】本発明に係る缶保持具１は、板状基材２に穿孔が複数設けられてなり、穿孔の各々に、缶蓋１１の巻き締め部１２の下縁１２ａを嵌合して、複数の缶入り飲料品１０を結束する缶保持具において、前記板状基材２は、穿孔３の内周縁に複数の係止片４を、間隔をあけて有し、係止片４の角部４ａが、鋭角をなしている。【選択図】図３
2014019455.tif 000002
【特許請求の範囲】
【請求項１】
板状基材に穿孔が複数設けられてなり、該穿孔の各々に缶蓋の巻き締め部の下縁を嵌合して、複数の缶入り飲料品を結束する缶保持具において、
前記板状基材は、前記穿孔の内周縁に複数の係止片を、間隔をあけて有し、該係止片の角部が鋭角をなしていることを特徴とする缶保持具。
【請求項２】
前記穿孔の内周縁のうち前記係止片に挟まれた部分の形状が同一円周に接する形状であり、かつ、前記係止片の頂縁が円弧形状をなし、かつ、前記係止片に挟まれた部分が接する円周の円心と前記係止片の頂縁が接する円周の円心とが一致することを特徴とする請求項１に記載の缶保持具。
【請求項３】
該係止片の角部の角度が、４５°以上８０°以下であることを特徴とする請求項１又は２に記載の缶保持具。
【請求項４】
前記穿孔に缶入り飲料品が結束されてなり、前記係止片が、該缶の缶蓋外径の３〜６％に相当する高さを有することを特徴とする請求項１〜３のいずれか一つに記載の缶保持具。
【請求項５】
前記係止片の角部の頂点と該係止片の隣に位置する係止片の角部の頂点との間の内周縁に角がないことを特徴とする請求項１〜４のいずれか一つに記載の缶保持具。
【請求項６】
前記板状基材が少なくとも２個の指係り孔を有し、該指係り孔に対して最短距離となる位置に、前記係止片に挟まれた部分のうちの一つを配置することを特徴とする請求項１〜５のいずれか一つに記載の缶保持具。
【発明の詳細な説明】
【技術分野】
【０００１】
本発明は、複数の缶入り飲料品を結束する缶保持具に関する。
【背景技術】
【０００２】
消費者が容器入り飲料製品を複数個購入する場合、一定数の当該製品が結束された状態で販売されていると便利である。このような要求を満たすために、壜又は缶をそれぞれ複数本結束するための保持具が開示されている。そして壜と缶とでは、形状が異なるため、保持具の形状も異なったものが設計されている（壜について、例えば特許文献１〜２を参照。缶について、例えば特許文献３〜６を参照。）。
【先行技術文献】
【特許文献】
【０００３】
【特許文献１】特開２００４−１８９２４３号公報
【特許文献２】特開２００２−２８４２２６号公報
【特許文献３】特開平０６−２１１２３３号公報
【特許文献４】特表平１０−５０１５０７号公報
【特許文献５】特開平１０−１９４３３０号公報
【特許文献６】特表２０１０−５３６６６８号公報
【発明の概要】
【発明が解決しようとする課題】
【０００４】
缶を複数本結束するための保持具に求められる特性を列挙すれば、（１）消費者が飲料製品を持ち運びしている最中に、保持具から飲料製品を脱落させないこと、（２）保持具から飲料製品を簡易に取り外せること、（３）組み立て不要、かつ、簡易構造を有していて、かつ、使用材料が少量であること、などである。
【０００５】
まず、特許文献１は、複数のボトルを結束するためのボトル結束具に関するものであり、ボトル結束具は折返し片（１１，１２）を有し、保持具をボトルに装着する際には折返し片を折り返す工程が必要となる。また、特許文献２も特許文献１と同様にボトル結束具に関するものであり、ボトル頸部のみならず、ボトルの胴部を結束する胴部結束部２を有していて、保持具をボトルに装着する際には保持具を組み立てる工程が必要である。引用文献１及び２は、本発明が対象とする缶を結束する保持具ではなく、ボトルと缶の形状の違いがあるため、参考技術に過ぎないが、いずれの引用文献も、前記（３）組み立て不要、かつ、簡易構造を有していて、かつ、使用材料が少量であること、の特性を有しているとはいえない。
【０００６】
一方、特許文献３は、一枚の仕切り板の缶保持具を開示する。仕切り板には、各孔３２の周囲に複数のタブ３８が設けられ、当該タブが缶の口部上端を固定すると認められる。タブ３８はスリット３６を設けることで形成されている。缶保持具は一枚の仕切り板であるから、前記（３）組み立て不要、かつ、簡易構造を有していて、かつ、使用材料が少量であること、の特性を有している。しかし、特許文献３は、カートン内で飲料製品を二段積みでパッケージングするための技術であり、仕切り板には、指係り孔を設けておらず、消費者が仕切り板でひとまとまりにした複数の缶入り飲料製品を持ち運ぶことを考慮していない。例えば、スリット３６は切り込み線となりうるから、それを起点として仕切り板の破れが生じやすいので、保持具から飲料製品が容易に脱落しやすい。したがって、前記（１）消費者が飲料製品を持ち運びしている最中に、保持具から飲料製品を脱落させないこと、の特性を満たしているとはいえない。
【０００７】
特許文献４も、一枚ものの缶保持具を開示する。しかし、トップパネルとボトムパネルの２つ折り構成を有しており、前記（３）組み立て不要、かつ、簡易構造を有していて、かつ、使用材料が少量であること、の特性を有していない。また、トップパネル部分１２は、実質的に特許文献３と同様のタブを有しており、それを起点として破れが生じて保持具から飲料製品が容易に脱落しやすいので、前記（１）の特性を満たしているとはいえない。
【０００８】
特許文献５は、一枚ものの缶保持具を開示する。特許文献５の缶保持具は特許文献３と同様のタブを有しており、それを起点として破れが生じて保持具から飲料製品が容易に脱落しやすいので、前記（１）の特性を満たしているとはいえない。
【０００９】
特許文献６は、メーンパネルの開口部に湾曲部（８０，８３）とＵ字型部（８４，８６）を設けた缶保持具を開示する。しかし、サイドパネル（１２，１４）が必要であり、前記（３）の特性を有していない。
【００１０】
このように、従来の缶保持具は、前記特性（１）、（２）、（３）を備えているとはいえず、新たな缶保持具が求められていた。そこで本発明は、前記特性（１）、（２）、（３）を備えている缶保持具、すなわち、組み立て不要で、少ない材料で簡易な構造でできており、かつ、物流中は保持具から缶入り飲料品が容易に脱落せず、使用時は簡易に取り外せること、を満たした缶保持具を提供することを目的とする。
【課題を解決するための手段】
【００１１】
本発明者は、上記の課題を解決するために、鋭意検討した結果、缶蓋を巻き締めたときにできるフランジ部（以降、缶の上端部分、巻き締め部ともいう。）を係止することとなる係止片の形状、具体的には係止片の角部の角度が缶保持力に関係があることを見出し、本発明を完成させた。本発明に係る缶保持具は、板状基材に穿孔が複数設けられてなり、該穿孔の各々に缶蓋の巻き締め部の下縁を嵌合して、複数の缶入り飲料品を結束する缶保持具において、前記板状基材は、前記穿孔の内周縁に複数の係止片を、間隔をあけて有し、該係止片の角部が鋭角をなしていることを特徴とする。
【００１２】
本発明に係る缶保持具では、前記穿孔の内周縁のうち前記係止片に挟まれた部分の形状が同一円周に接する形状であり、かつ、前記係止片の頂縁が円弧形状をなし、かつ、前記係止片に挟まれた部分が接する円周の円心と前記係止片の頂縁が接する円周の円心とが一致することが好ましい。缶の全周にわたって均等に支持して、飲料製品の保持具からの脱落を防止できる。
【００１３】
本発明に係る缶保持具では、該係止片の角部の角度が、４５°以上８０°以下であることが好ましい。缶をより強力に保持することができる。
【００１４】
本発明に係る缶保持具では、前記穿孔に缶入り飲料品が結束されてなり、前記係止片が、該缶の缶蓋外径の３〜６％に相当する高さを有することが好ましい。缶の取り付け及びの取り外し操作をより安定して行うことができる。
【００１５】
本発明に係る缶保持具では、前記係止片の角部の頂点と該係止片の隣に位置する係止片の角部の頂点との間の内周縁に角がないことが好ましい。角を起点とする破れが生じるのを防止することができる。
【００１６】
本発明に係る缶保持具では、前記板状基材が少なくとも２個の指係り孔を有し、該指係り孔に対して最短距離となる位置に、前記係止片に挟まれた部分のうちの一つを配置することが好ましい。缶をより強力に保持することができる。
【発明の効果】
【００１７】
本発明は、組み立て不要で、少ない材料で簡易な構造でできており、かつ、物流中は保持具から缶入り飲料品が容易に脱落せず、使用時は簡易に取り外せること、を満たした缶保持具を提供することができる。
【図面の簡単な説明】
【００１８】
【図１】本実施形態に係る缶保持具の一例を示す正面図である。
【図２】缶保持具と缶との嵌合状態を示す部分拡大側面図である。
【図３】缶入り飲料品を結束した状態を示す斜視図である。
【図４】穿孔の一つを示す正面図である。
【図５】係止片の角部の部分拡大図である。
【図６】試験例１を説明するための図である。
【図７】試験例２を説明するための図である。
【発明を実施するための形態】
【００１９】
以下本発明について実施形態を示して詳細に説明するが本発明はこれらの記載に限定して解釈されない。本発明の効果を奏する限り、実施形態は種々の変形をしてもよい。
【００２０】
図１は、本実施形態に係る缶保持具の一例を示す正面図である。図２は、缶保持具と缶との嵌合状態を示す部分拡大側面図である。図３は、缶入り飲料品を結束した状態を示す斜視図である。図４は、穿孔の一つを示す正面図である。図５は、係止片の角部の部分拡大図である。本実施形態に係る缶保持具１は、図１に示すように板状基材２に穿孔３が複数設けられてなり、穿孔３の各々に、図２に示すように缶蓋１１の巻き締め部１２の下縁１２ａを嵌合して、図３に示すように複数の缶入り飲料品１０を結束する缶保持具において、板状基材２は、図４に示すように穿孔３の内周縁に複数の係止片４を、間隔をあけて有し、係止片４の角部４ａが、図５に示すように鋭角をなしている。
【００２１】
缶入り飲料品１０は、図２に示すように、円盤状の缶蓋１１と円筒状の胴体１３とを有する。缶蓋１１と胴体１３とは、巻き締め部１２で接合されている。巻き締め部１２は、例えば二重巻締法で、缶蓋部材の周縁に形成したカール部を、胴体部材の上端に形成したフランジ部に被せ、巻き込むように圧着して缶蓋部材と胴体部材とを接合した部分である。巻き締め部１２は、缶入り飲料品１０の上端部分に、フランジ状に形成されている。缶入り飲料品１０は、巻き締め部１２の直下に、胴体１３の他の部分よりも胴径を小さくした括れ部１４を有することが好ましい。
【００２２】
缶保持具１は、板状基材２からなる。板状基材２は、１枚板である。板状基材２の材質は、例えば、紙、プラスチックである。このうち、加工性及び廃棄容易性の観点から、紙であることがより好ましい。板状基材２の厚さは、０．３〜２．０ｍｍであることが好ましく、０．４〜１．５ｍｍであることがより好ましい。
【００２３】
穿孔３は、板状基材２に設けられた貫通孔である。穿孔３は、板状基材２に等間隔で設けることが好ましい。穿孔３の内周縁には、図４に示すように、穿孔３の中央部に向けて相対的に突出する係止片４と係止片に挟まれた部分５とが周方向に沿って交互に形成される。
【００２４】
係止片４は、缶蓋１１の巻き締め部１２の下端１２ａに実質的に嵌合する部分である。係止片４は、穿孔３の周方向に延びる頂縁４ｂと頂縁４ｂの両端から穿孔３の外周に向けて延びる側縁４ｄとを有する。係止片４の頂縁４ｂの形状は、巻き締め部１２の下端１２ａの外周形状に合うように、凹円弧形状であることが好ましい。本明細書において、凹円弧形状とは、板状基材２側に膨らむ円弧をいう。より好ましくは、各係止片４の頂縁４ｂが同一円周Ｒ２に接することが好ましい。係止片４の頂縁４ｂが接する円周Ｒ２の直径Ｄ２は、缶蓋外径（図２においてＬ２と示した。）よりも小さいことが好ましい。係止片４の側縁４ｄの形状は、凹円弧形状であることが好ましい。
【００２５】
係止片４の角部４ａの角度θは、図５に示すように、鋭角である。係止片４の角部４ａの角度θを鋭角にすることで、缶を強力に保持することができる。係止片４の角部４ａの角度θは、４５°以上８０°以下であることが好ましく、３０°以上６０°以下であることがより好ましい。４５°未満では、係止片４が変形して、缶入り飲料品が保持具から脱落する場合がある。８０°を超えると、缶入り飲料品を保持する力が不足して、保持具から缶入り飲料品が脱落する場合がある。ここで、係止片４の角部４ａの角度θは、係止片４の角部４ａを通る係止片４の頂縁４ｂの接線と係止片４の角部４ａを通る係止片４の側縁４ｄの接線とのなす角である。
【００２６】
図５に示す係止片４の高さＬ１は、缶入り飲料品１０の缶蓋外径Ｌ２の３〜６％に相当する高さを有することが好ましい。より好ましくは、３〜５％であり、特に好ましくは３．５〜４．５％である。３％未満では缶入り飲料品１０を保持する力が不足する場合がある。６％を超えると缶入り飲料品１０を取り付け・取り外し操作を安定的に行えない場合がある。ここで、係止片４の高さＬ１は、係止片に挟まれた部分５が接する円周Ｒ１と係止片４の頂縁４ｂが接する円周Ｒ２との間の最短距離である。
【００２７】
係止片４の数は、穿孔一つあたり、２〜９個であることが好ましく、６〜８個であることがより好ましい。図４では、一例として係止片４の数が８個である形態を示した。係止片４の数が１個以下では缶入り飲料品１０を保持する力が不足する場合がある。係止片４の数が１０個以上では、缶入り飲料品１０を装着時に板状基材２に割れが生じる場合がある。係止片４は、缶入り飲料品１０を周方向において均等に保持できる点で、等間隔に配置することが好ましい。
【００２８】
係止片に挟まれた部分５は、図５に示すように、隣り合う係止片４（４Ａ，４Ｂ）の基端部４ｃ同士を結ぶ部分である。ここで、係止片４の基端部４ｃは、係止片に挟まれた部分５が接する円周Ｒ１と係止片４の側縁４ｄとの接点である。係止片に挟まれた部分５の形状は、凹円弧形状であることが好ましい。より好ましくは、図４に示すように、各係止片に挟まれた部分５が接する円周Ｒ１が、同一円周であることが好ましい。係止片に挟まれた部分５が接する円周Ｒ１の直径Ｄ１は、缶蓋外径Ｌ２と同じであるか、缶蓋外径Ｌ２よりも大きい。
【００２９】
本実施形態に係る缶保持具１では、図４に示すように、穿孔３の内周縁のうち係止片に挟まれた部分５の形状が同一円周Ｒ１に接する形状であり、かつ、係止片４の頂縁４ｂが円弧形状をなし、かつ、係止片に挟まれた部分５が接する円周Ｒ１の円心Ｏ１と係止片４の頂縁４ｂが接する円周Ｒ２の円心Ｏ２とが一致することが好ましい。この穿孔３に缶（不図示）を装着すると、缶の全周にわたって均等に支持することとなり、缶入り飲料品１０が保持具から脱落することを防止できる。より好ましい形態は、穿孔３の内周縁のうち係止片に挟まれた部分５の形状が同一円周Ｒ１に接する形状であり、かつ、係止片４の頂縁４ｂが同一円周Ｒ２に接し、かつ、係止片に挟まれた部分５が接する円周Ｒ１の円心Ｏ１と係止片４の頂縁４ｂが接する円周Ｒ２の円心Ｏ２とが一致する形態である。各係止片４の頂縁４ｂが、缶の外周に均等に接触するため、缶を支持する力が更に均等となる。
【００３０】
本実施形態に係る缶保持具１では、図５に示すように、係止片４Ａの角部４ａの頂点と係止片４Ａの隣に位置する係止片４Ｂの角部４ａの頂点との間の内周縁に角がないことが好ましい。角を起点とする破れが生じるのを防止することができる。隣り合う係止片４Ａ，４Ｂの角部４ａの頂点間を結ぶ内周縁に角がない形態は、例えば、図５に示すように、係止片４の側縁４ｄと係止片に挟まれた部分５とが連続する曲線からなる形態である。係止片４の基端部４ｃには特に応力が集中しやすいため、係止片４の基端部４ｃにＲをつけることで、角を起点とする破れが生じるのを防止することができる。
【００３１】
板状基材２は、穿孔３の外周に、更に環状罫線６を有することが好ましい。環状罫線６は、板状基材２を圧縮加工して形成した凹部である。環状罫線６を形成することで、係止片４が上下に動きやすくなり、缶入り飲料品１０の取り付け・取り外し操作をより安定して行うことができる。環状罫線６は、係止片に挟まれた部分５が接する円周Ｒ１と同心円状であることが好ましい。また、環状罫線６は、係止片に挟まれた部分５が接する円周Ｒ１から外側に０〜５ｍｍの位置に形成することが好ましい。より好ましくは、１〜３ｍｍである。
【００３２】
本実施形態に係る缶保持具１では、図１に示すように、板状基材２が少なくとも２個の指係り孔７を更に有することが好ましい。指係り孔７は、消費者が飲料製品を持ち運びする時に指をかける部分である。指係り孔７の形状は、角を起点とする破れを防止する点で、内周縁に角がないことが好ましく、例えば、円形、楕円形又は指の形状に対応させた変形形状である。
【００３３】
本実施形態に係る缶保持具１では、図１に示すように、指係り孔７に対して最短距離となる位置に、係止片に挟まれた部分５のうちの一つを配置することが好ましい。消費者が指係り孔７に指を入れて飲料製品を持ち上げると、缶同士が寄せ合うように作用して、缶の脱落を防止する一方、缶を取り外し時には、容易に係止片４の係止が簡易に解消されて、缶の取り外しをより簡易に行うことができる。また、消費者が指係り孔７に指を入れて飲料製品を持ち上げると、指係り孔７及び穿孔３の内周縁は、僅かに上方に反る。この変形の度合いは、特に、指係り孔７の周辺で大きくなる。このため、指係り孔７に対して最短距離となる位置に係止片４の一つを配置すると、指係り孔７の周辺の変形に伴って、係止片４の変形する度合いが大きくなり、係止片４が缶蓋１１の巻き締め部１２の下縁１２ａから外れ、缶入り飲料品１０が脱落する場合がある。
【００３４】
図２、図３を参照して、本実施形態に係る缶保持具１を用いて、缶入り飲料品１０を結束した状態を説明する。各穿孔３に缶入り飲料品１０の上端部分を通すと、図２に示すように、係止片４が缶の側壁に沿って変形して、缶蓋１１の巻き締め部１２の下縁１２ａに嵌合する。そして、図３に示すように、複数本の缶入り飲料品１０が結束される。消費者が指係り孔７に指を入れて飲料製品を持ち上げると、缶同士が反発しあい外れにくく、持ち運びしている最中に、保持具から缶入り飲料品１０が脱落しない。図３では、一例として２行×３列の６本を結束した形態を示したが、穿孔３の数を増減することで、所望の数の缶入り飲料品１０を結束できる。
【実施例】
【００３５】
以下、実施例を示しながら本発明についてさらに詳細に説明するが、本発明は実施例に限定して解釈されない。
【００３６】
（試験例１）
図６は、試験例１を説明するための図である。図６に示す試験サンプルＡ〜Ｃを用いて、それぞれ缶入り飲料品からの取り外しに必要な力を測定した。係止片の角部の角度は、試験サンプルＡは６５°、試験サンプルＢは９０°、試験サンプルＣは１０９．５５°とした。試験サンプルＡ〜Ｃは、いずれも係止片に挟まれた部分が接する円周Ｒ１の直径Ｄ１を５７ｍｍ、係止片の頂縁が接する円周Ｒ２の直径Ｄ２を５３．５ｍｍとした。また、係止片の高さＬ１は１．７５ｍｍとした。測定方法は、缶入り飲料品（缶蓋外径（図２のＬ２に相当。）５６．８ｍｍ）の上端部分に試験サンプルを取り付けた。缶入り飲料品を試験台に固定し、フォースゲージ（型式：ＦＧＰ−５、日本電産シンポ社製）に試験サンプルの四隅を固定できる冶具を取り付けて、試験サンプルを缶入り飲料品から取り外すのに必要な荷重を測定した。測定は５回行い、その平均値を求め、缶入り飲料品の保持力として評価した。その結果、試験サンプルＡは３２．７６Ｎ、試験サンプルＢは２６．１４Ｎ、試験サンプルＣは２７．４６Ｎであった。試験サンプルＡが最も缶入り飲料品の保持力が大きかった。係止片の角部の角度が鋭角であるとき、直角又は鈍角と比較して、缶入り飲料品を保持力が最も強いことが確認できた。
【００３７】
（試験例２）
図７は、試験例２を説明するための図である。図７に示す試験サンプル１〜１０を用いて、各穿孔に缶入り飲料品を取り付けた。試験サンプル１〜１０は、いずれも係止片の角部の角度を６５°、係止片に挟まれた部分が接する円周の直径（図４のＤ１に相当。）を５７ｍｍ、係止片の頂縁が接する円周の直径（図４のＤ２に相当。）を５３．５ｍｍとした。また、係止片の高さＬ１は１．７５ｍｍとした。缶入り飲料品は、試験例１で使用したものと同種のものを６本用いた。缶入り飲料品群を試験台に固定し、フォースゲージに２つの指係り孔に係合する冶具を取り付けて、試験サンプルを缶入り飲料品群から取り外すのに必要な荷重を測定した。測定は５回行い、その平均値を求め、缶入り飲料品の保持力として評価した。その結果を表１に示す。缶入り飲料品が容量３５０ｍｌのビールであるとき、一般的に６本の質量は２．２ｋｇであり、缶入り飲料品が容量５００ｍｌのビールであるとき、一般的に６本の質量は３．１ｋｇであることを考慮すると、試験サンプル２〜１０はいずれも、容量３５０ｍｌの缶入りビール６本又は容量５００ｍｌの缶入りビール６本の保持具として実用できることが確認できた。
【００３８】
【表１】
2014019455.tif 000003
【符号の説明】
【００３９】
１  缶保持具
２  板状基材
３  穿孔
４，４Ａ，４Ｂ  係止片
４ａ  係止片４の角部
４ｂ  係止片の頂縁
４ｃ  係止片の基端部
４ｄ  係止片の側縁
５  係止片に挟まれた部分
６  環状罫線
７  指係り孔
１０  缶入り飲料品
１１  缶蓋
１２  巻き締め部
１２ａ  巻き締め部の下縁
１３  胴体
１４  括れ部
【図１】
2014019455.tif 000004
【図２】
2014019455.tif 000005
【図３】
2014019455.tif 000006
【図４】
2014019455.tif 000007
【図５】
2014019455.tif 000008
【図６】
2014019455.tif 000009
【図７】
2014019455.tif 000010